(57)【要約】【課題】対象ガイドレールを引き上げる際に、引き上げられる対象ガイドレールの下端部が振れてしまうことを抑制することができるエレベータガイドレール揚重装置を得る。【解決手段】昇降路１００に立てられた既立ガイドレール２００の上に対象ガイドレール３００を連結するために既立ガイドレール２００の上に対象ガイドレール３００を積み上げる際に用いられるエレベータガイドレール揚重装置であって、対象ガイドレール３００の上部に接続されるロープ１１を有し、ロープ１１を巻き取ることによって対象ガイドレール３００が引き上げられる電動ホイスト装置１と、対象ガイドレール３００の下部に接続され、電動ホイスト装置１が対象ガイドレール３００を引き上げる際に対象ガイドレール３００を下方に付勢する電動ホイスト装置２とを備えている。【選択図】図１
2016108084.tif 000002
【特許請求の範囲】
【請求項１】
昇降路に立てられた既立ガイドレールの上に対象ガイドレールを連結するために前記既立ガイドレールの上に前記対象ガイドレールを積み上げる際に用いられるエレベータガイドレール揚重装置であって、
前記対象ガイドレールの上部に接続される長尺部を有し、前記長尺部を巻き取ることによって前記対象ガイドレールが引き上げられる巻取装置と、
前記対象ガイドレールの下部に接続され、前記巻取装置が前記対象ガイドレールを引き上げる際に前記対象ガイドレールを下方に付勢する下方付勢装置と
を備えたことを特徴とするエレベータガイドレール揚重装置。
【請求項２】
前記下方付勢装置は、前記対象ガイドレールの下部に接続される長尺部を含み、前記巻取装置による前記対象ガイドレールの引き上げに連動して、前記対象ガイドレールを下方に付勢するように前記長尺部を送り出す送出装置を有していることを特徴とする請求項１に記載のエレベータガイドレール揚重装置。
【請求項３】
前記対象ガイドレールの回転を検出する回転検出装置をさらに備え、
前記回転検出装置が前記対象ガイドレールの回転を検出する場合に、前記対象ガイドレールの引き上げを停止することを特徴とする請求項１または請求項２に記載のエレベータガイドレール揚重装置。
【請求項４】
昇降路に立てられた既立ガイドレールの上に対象ガイドレールを連結するために前記既立ガイドレールの上に前記対象ガイドレールを積み上げる際に用いられるエレベータガイドレール揚重方法であって、
前記対象ガイドレールの上部に接続された長尺部を巻き取ることによって前記対象ガイドレールを引き上げる揚重工程を備え、
前記揚重工程では、前記対象ガイドレールの下部を下方に付勢しながら前記対象ガイドレールを引き上げることを特徴とするエレベータガイドレール揚重方法。
【発明の詳細な説明】
【技術分野】
【０００１】
この発明は、エレベータのガイドレールを積み上げる際に用いられるエレベータガイドレール揚重装置およびエレベータガイドレール揚重方法に関する。
【背景技術】
【０００２】
従来、昇降路に立てられた既立ガイドレールの上に対象ガイドレールを連結するために既立ガイドレールの上に対象ガイドレールを積み上げる際に用いられるエレベータガイドレール揚重装置であって、対象ガイドレールの上部に接続されるロープを有し、ロープを巻き取ることによって対象ガイドレールを引き上げる電動ホイスト装置を備えたエレベータ揚重装置が知られている（例えば、特許文献１参照）。
【先行技術文献】
【特許文献】
【０００３】
【特許文献１】特開平６−２１９６６５号公報
【発明の概要】
【発明が解決しようとする課題】
【０００４】
しかしながら、対象ガイドレールを引き上げる際に、引き上げられる対象ガイドレールの下端部が振れてしまうという問題点があった。
【０００５】
この発明は、対象ガイドレールを引き上げる際に、引き上げられる対象ガイドレールの下端部が振れてしまうことを抑制することができるエレベータガイドレール揚重装置およびエレベータガイドレール揚重方法を提供するものである。
【課題を解決するための手段】
【０００６】
この発明に係るエレベータガイドレール揚重装置は、昇降路に立てられた既立ガイドレールの上に対象ガイドレールを連結するために既立ガイドレールの上に対象ガイドレールを積み上げる際に用いられるエレベータガイドレール揚重装置であって、対象ガイドレールの上部に接続される長尺部を有し、長尺部を巻き取ることによって対象ガイドレールが引き上げられる巻取装置と、対象ガイドレールの下部に接続され、巻取装置が対象ガイドレールを引き上げる際に対象ガイドレールを下方に付勢する下方付勢装置とを備えている。
【発明の効果】
【０００７】
この発明に係るエレベータガイドレール揚重装置によれば、対象ガイドレールの上部に接続される長尺部を有し、長尺部を巻き取ることによって対象ガイドレールが引き上げられる巻取装置と、対象ガイドレールの下部に接続され、巻取装置が対象ガイドレールを引き上げる際に対象ガイドレールを下方に付勢する下方付勢装置とを備えているので、対象ガイドレールを引き上げる際に、引き上げられる対象ガイドレールの下端部が振れてしまうことを抑制することができる。
【図面の簡単な説明】
【０００８】
【図１】この発明の実施の形態１に係るエレベータガイドレール揚重装置を示す構成図である。
【図２】図１のエレベータガイドレール揚重装置を示すブロック図である。
【図３】図１のエレベータガイドレール揚重装置の動作を示すフローチャートである。
【図４】この発明の実施の形態２に係るエレベータガイドレール揚重装置を示す構成図である。
【図５】図４のエレベータガイドレール揚重装置を示すブロック図である。
【発明を実施するための形態】
【０００９】
実施の形態１．
図１はこの発明の実施の形態１に係るエレベータガイドレール揚重装置を示す構成図、図２は図１のエレベータガイドレール揚重装置を示すブロック図である。図において、エレベータガイドレール揚重装置は、昇降路１００の上部に設けられる電動ホイスト装置（巻取装置）１と、昇降路１００の下部に設けられる電動ホイスト装置（送出装置）２と、電動ホイスト装置１および電動ホイスト装置２の駆動を制御する制御装置３と、ロープ１１の先端部に接続されるレール吊具４と、ロープ２１の先端部に接続されるレール吊具５とを備えている。
【００１０】
電動ホイスト装置１は、ロープ（長尺物）１１を有している。電動ホイスト装置１は、駆動することによってロープ１１を巻き取る。
【００１１】
電動ホイスト装置２は、ロープ（長尺物）２１を有している。電動ホイスト装置２は、駆動することによってロープ２１を送り出す。
【００１２】
エレベータガイドレール揚重装置は、昇降路１００に立てられた既立ガイドレール２００の上に対象ガイドレール３００を連結するために既立ガイドレール２００の上に対象ガイドレール３００を積み上げる際に用いられる。対象ガイドレール３００の上部には、目板３０１が取り付けられている。対象ガイドレール３００の下部にも、目板３０２が取り付けられている。目板３０１および目板３０２のそれぞれは、高さ方向に隣り合う一対のガイドレールを連結する際に用いられる。
【００１３】
制御装置３は、制御装置本体３１と、作業者に操作される操作部３２とを有している。操作部３２には、対象ガイドレール３００を上昇させる上昇ボタンと、対象ガイドレール３００の上昇を停止させる停止ボタンとが含まれている。上昇ボタンが操作されると、制御装置本体３１は、電動ホイスト装置２が対象ガイドレール３００を下方に付勢させながら電動ホイスト装置１が対象ガイドレール３００を上昇させるように、電動ホイスト装置１および電動ホイスト装置２の駆動を制御する。したがって、電動ホイスト装置２は、電動ホイスト装置１が対象ガイドレール３００を引き上げる際に対象ガイドレール３００を下方に付勢する下方付勢装置となっている。
【００１４】
次に、エレベータガイドレール揚重装置を用いて対象ガイドレール３００を引き上げる方法について説明する。図３は図１のエレベータガイドレール揚重装置の動作を示すフローチャートである。まず、制御装置３は、上昇ボタンが操作されたか否かを判定する（ステップＳ１０１）。ステップＳ１０１で上昇ボタンが操作されていないと判定された場合には、ステップＳ１０１が繰り返される。
【００１５】
一方、ステップＳ１０１で上昇ボタンが操作されたと判定された場合には、制御装置３は、電動ホイスト装置２に対象ガイドレール３００を下方に付勢させながら、電動ホイスト装置１にロープ１１を巻き取らせることによって電動ホイスト装置１に対象ガイドレール３００を引き上げさせる（揚重工程）（ステップＳ１０２）。
【００１６】
その後、制御装置３は、停止ボタンが操作されたか否かを判定する（ステップＳ１０３）。ステップＳ１０３で停止ボタンが操作されていないと判定された場合には、ステップＳ１０３が繰り返される。
【００１７】
一方、ステップＳ１０３で停止ボタンが操作されたと判定された場合には、制御装置３は、電動ホイスト装置１および電動ホイスト装置２の駆動を停止して、対象ガイドレール３００の引き上げを停止する（ステップＳ１０４）。以上により、エレベータガイドレール揚重装置を用いて対象ガイドレール３００を引き上げる方法が終了する。
【００１８】
以上説明したように、この発明の実施の形態１に係るエレベータガイドレール揚重装置によれば、対象ガイドレール３００の上部に接続されるロープ１１を有し、ロープ１１を巻き取ることによって対象ガイドレール３００が引き上げられる電動ホイスト装置１と、対象ガイドレール３００の下部に接続され、電動ホイスト装置１が対象ガイドレール３００を引き上げる際に対象ガイドレール３００を下方に付勢する下方付勢装置とを備えているので、対象ガイドレール３００を引き上げる際に、引き上げられる対象ガイドレール３００の下端部が振れてしまうことを抑制することができる。
【００１９】
また、下方付勢装置は、対象ガイドレール３００の下部に接続されるロープ２１を含み、電動ホイスト装置１による対象ガイドレール３００の引き上げに連動して、対象ガイドレール３００を下方に付勢するようにロープ２１を送り出す電動ホイスト装置２を有しているので、電動ホイスト装置１および電動ホイスト装置２のそれぞれを同期して駆動することによって、電動ホイスト装置２による下方への付勢力を一定にすることができる。
【００２０】
また、この発明の実施の形態１に係るエレベータガイドレール揚重方法によれば、対象ガイドレール３００の上部に接続されたロープ１１を巻き取ることによって対象ガイドレール３００を引き上げる揚重工程を備え、揚重工程では、対象ガイドレール３００の下部を下方に付勢しながら対象ガイドレール３００を引き上げるので、対象ガイドレール３００を引き上げる際に、引き上げられる対象ガイドレール３００の下端部が振れてしまうことを抑制することができる。
【００２１】
実施の形態２．
図４はこの発明の実施の形態２に係るエレベータガイドレール揚重装置を示す構成図、図５は図４のエレベータガイドレール揚重装置を示すブロック図である。図において、エレベータガイドレール揚重装置は、周方向についての対象ガイドレール３００の回転を検出する回転検出装置６をさらに備えている。回転検出装置６は、対象ガイドレール３００が引き上げられる際にロープ２１が周方向に回転することを検出することによって、周方向についての対象ガイドレール３００の回転を検出する。回転検出装置６が検出するロープ２１の回転量は予め設定される。回転検出装置６の検出結果は、制御装置３に送られる。制御装置３は、回転検出装置６が対象ガイドレール３００の回転を検出した場合に、対象ガイドレール３００の引き上げを停止する。その他の構成は、実施の形態１と同様である。
【００２２】
以上説明したように、この発明の実施の形態２に係るエレベータガイドレール揚重装置によれば、対象ガイドレール３００の回転を検出する回転検出装置６を備え、回転検出装置６が対象ガイドレール３００の回転を検出する場合に、対象ガイドレール３００の引き上げを停止するので、対象ガイドレール３００が引き上げられる際に対象ガイドレール３００が回転することを抑制することができる。
【００２３】
なお、各上記実施の形態では、巻取装置および送出装置として、電動ホイスト装置を例に説明したが、長尺物がチェーンの場合には、電動チェーンブロックが挙げられる。
【００２４】
また、各上記実施の形態では、目板にレール吊具を係合させて対象ガイドレール３００を引き上げる構成について説明したが、目板に限らず、例えば、支持台を対象ガイドレール３００に取り付けて、支持台にレール吊具を係合させて対象ガイドレール３００を引き上げる構成であってもよい。また、電磁石による磁力を用いて、対象ガイドレール３００とロープ１１およびロープ２１とを連結してもよい。
【００２５】
また、各上記実施の形態では、下方付勢装置として、電動ホイスト装置２を例に説明したが、電動ホイスト装置２に限らず、例えば、対象ガイドレール３００の下端部に接続されるロープと、ロープが巻き掛けられる軸部と、ロープが軸部に巻き掛けられる方向に軸部を付勢するばね部材とを有する構成であってもよい。この場合、ばね部材の付勢力よりも強い力で電動ホイスト装置１がロープ１１を巻き取ることによって、対象ガイドレール３００が引き上げられる。
【符号の説明】
【００２６】
１  電動ホイスト装置（巻取装置）、２  電動ホイスト装置（送出装置）、３  制御装置、４  レール吊具、５  レール吊具、６  回転検出装置、１１  ロープ（長尺物）、２１  ロープ（長尺物）、３１  制御装置本体、３２  操作部、１００  昇降路、２００  既立ガイドレール、３００  対象ガイドレール、３０１  目板、３０２  目板。
【図１】
2016108084.tif 000003
【図２】
2016108084.tif 000004
【図３】
2016108084.tif 000005
【図４】
2016108084.tif 000006
【図５】
2016108084.tif 000007